(57)【特許請求の範囲】
【請求項１】
室内外を連通する開口に設けられている既設サッシが有する既設枠の内周側に設けられる改装サッシユニットであって、
新たに設けられる改装サッシ、及び、
前記既設枠が有する既設下枠の下レールが切除された部位に載置され、前記改装サッシが有する改装枠が載置されて固定される既設枠載置部と、
前記既設枠載置部の室内側に設けられ、前記既設枠載置部より高い位置にて前記既設枠の室内側固定部の上部を覆い、躯体に固定される改装枠躯体固定部と、
前記既設枠載置部の室外側に設けられ、当該既設枠載置部から延出されて前記改装枠と対向し当該改装枠と固定される改装枠固定部と、
を備えた下枠接合部材、
を有し、
前記下枠接合部材は、前記改装枠の見付け方向の幅より狭く形成されており、
見付け方向において、前記既設枠と前記改装枠との間に、互いに間隔を隔てて複数介在されることを特徴とする改装サッシユニット。
【請求項２】
請求項１に記載の改装サッシユニットであって、
前記下枠接合部材は、前記既設枠載置部を上下方向に移動可能な上下移動機構を有することを特徴とする改装サッシユニット。
【請求項３】
請求項２に記載の改装サッシユニットであって、
前記下枠接合部材は、前記既設枠載置部と繋がり前記下レールが切除された部位と対向する対向部を備え、
前記上下移動機構は、前記対向部または前記既設枠載置部を上下方向に貫通するとともに螺合して、下端が、前記下レールが切除された部位に支持され、回動されることにより前記既設枠載置部を前記上下方向に移動させる回転移動部材を有していることを特徴とする改装サッシユニット。
【請求項４】
請求項１乃至請求項３のいずれかに記載の改装サッシユニットであって、
複数の前記下枠接合部材は、前記既設枠載置部と前記改装枠との間に介在される連結部材にて連結されていることを特徴とする改装サッシユニット。
【請求項５】
請求項１乃至請求項４のいずれかに記載の改装サッシユニットであって、
前記改装枠が有する改装下枠は、室内側の部位と室外側の部位との間に断熱材が介在されており、前記室内側の部位と前記室外側の部位とがそれぞれ下枠接合部材に固定されていることを特徴とする改装サッシユニット。
【請求項６】
室内外を連通する開口に設けられている既設サッシが有する既設枠の内周側に改装サッシを取り付ける改装サッシユニットの取付方法であって、
前記既設枠が有する既設下枠の下レールを切除するレール切除工程と、
前記既設下枠と前記改装サッシが有する改装枠との間に介在され前記改装枠の見付け方向の幅より狭い幅の複数の下枠接合部材を、見付け方向に互いに間隔を隔てて前記改装枠に固定する下枠接合部材取付工程と、
前記改装枠が固定された複数の前記下枠接合部材を前記既設下枠の前記下レールが切除された部位に載置する改装枠載置工程と、
前記改装枠が前記既設枠に載置された際に、複数の前記下枠接合部材の前記既設枠に載置された既設枠載置部より上方にて当該既設枠が固定されている室内側固定部を、前記下枠接合部材の室内側の部位にて覆うとともに、前記下枠接合部材を躯体に固定する下枠接合部材固定工程と、
を有することを特徴とする改装サッシユニットの取付方法。
【請求項７】
請求項６に記載の改装サッシユニットの取付方法であって、
前記下枠接合部材は、前記既設下枠と前記改装枠との間に、互いに間隔を隔てて複数介在され、
各々の前記下枠接合部材は、前記改装枠に固定される部位の位置を調整可能な調整機構を有し、
複数の前記下枠接合部材は、前記下レールが切除された前記既設下枠上にて、各々の前記下枠接合部材の、前記改装枠に固定される部位の位置が前記調整機構により調整された後に、前記改装枠に固定されることを特徴とする改装サッシユニットの取付方法。
【発明の詳細な説明】
【技術分野】
【０００１】
本発明は、既設サッシが有する既設枠の内周側に設けられる改装サッシユニット及び改装サッシユニットの取付方法に関する。
【背景技術】
【０００２】
既設枠の内周側に設けられる改装サッシユニットとしては、例えば、建物の開口部に設けられた既設サッシが有する既設枠の内周側に屋内側取付部材及び屋外側取付部材を介して取り付けられる改装サッシが知られている（例えば、特許文献１参照）。
【先行技術文献】
【特許文献】
【０００３】
【特許文献１】特開２００９−２２１８１６号公報
【発明の概要】
【発明が解決しようとする課題】
【０００４】
上記のような改装サッシが取り付けられる既設サッシの下枠には既設サッシの既設障子が案内されるレールや段差等の凹凸部を有している。このため、取り付けられる改装サッシは、既設下枠のレール上に設けられるため、改装枠の内側に形成される開口が狭くなるとともに、安定した状態にて改装枠を既設枠の内周側に配置することが難しいため、施工性が悪いという課題がある。
【０００５】
本発明は、かかる課題に鑑みてなされたものであり、その目的とするところは、改装枠の内側の開口をより広く確保することが可能で施工性に優れた改装サッシユニット及び改装サッシユニットの取付方法を提供することにある。
【課題を解決するための手段】
【０００６】
かかる目的を達成するために本発明の改装サッシユニットは、室内外を連通する開口に設けられている既設サッシが有する既設枠の内周側に設けられる改装サッシユニットであって、新たに設けられる改装サッシ、及び、前記既設枠が有する既設下枠の下レールが切除された部位に載置され、前記改装サッシが有する改装枠が載置されて固定される既設枠載置部と、前記既設枠載置部の室内側に設けられ、前記既設枠載置部より高い位置にて前記既設枠の室内側固定部の上部を覆い、躯体に固定される改装枠躯体固定部と、前記既設枠載置部の室外側に設けられ、当該既設枠載置部から延出されて前記改装枠と対向し当該改装枠と固定される改装枠固定部と、を備えた下枠接合部材、を有し、前記下枠接合部材は、前記改装枠の見付け方向の幅より狭く形成されており、見付け方向において、前記既設枠と前記改装枠との間に、互いに間隔を隔てて複数介在されることを特徴とする改装サッシユニットである。
【０００７】
このような改装サッシユニットによれば、改装枠が載置されて固定される既設枠載置部が載置されるのは、既設枠が固定されている室内側固定部より下方に位置するとともに既設下枠が有する下レールが切除された部位なので、単に既設枠の内側に改装枠を配置する場合より、改装枠が載置される位置を低くすることが可能である。このため単に既設枠の内周側に改装枠を取り付ける場合より、改装枠の内側に形成される開口を広くすることが可能である。また、既設枠載置部が載置される既設下枠は、下レールが切除されて凹凸が少ないので、改装枠を既設枠の内周側に安定した状態にて配置することが可能である。このため、改装枠を既設枠側に取り付ける際において既設枠を支える力が軽減されるので、施工性に優れた改装サッシユニットを提供することが可能である。
【０００８】
また、改装枠に固定された下枠接合部材は、室内側にて室内側固定部の上部を覆い、躯体に固定される改装枠躯体固定部を有しているので、下枠接合部材が固定された改装枠を躯体に固定できる。このため、改装枠を確実に躯体に強固に固定し安定した状態に備えることが可能である。
また、下枠接合部材が改装枠の見付け方向の幅より狭いので、下枠接合部材を精度良く形成することが可能であるとともに、安価に製造することが可能である。また、下枠接合部材は、既設枠と改装枠との間に、互いに間隔を隔てて複数介在されるので、見付け方向の長さと同じ長さにて一体に形成されている場合より取り付け易い。このため、施工性が良く、また、改装枠をより安定させた状態で備えることが可能である。
【０００９】
かかる改装サッシユニットであって、前記下枠接合部材は、前記既設枠載置部を上下方向に移動可能な上下移動機構を有することが望ましい。  
このような改装サッシユニットによれば、下枠接合部材は、既設下枠載置されるとともに、改装枠が載置されて固定される既設枠載置部が、上下移動機構により上下方向に移動可能なので、改装枠が載置される上下方向の位置を変更することが可能である。
【００１０】
かかる改装サッシユニットであって、前記下枠接合部材は、前記既設枠載置部と繋がり前記下レールが切除された部位と対向する対向部を備え、前記上下移動機構は、前記対向部または前記既設枠載置部を上下方向に貫通するとともに螺合して、下端が、前記下レールが切除された部位に支持され、回動されることにより前記既設枠載置部を前記上下方向に移動させる回転移動部材を有していることが望ましい。  
このような改装サッシユニットによれば、上下移動機構の回転移動部材の回動により、回転移動部材が支持されている下レールが切除された部位に対して、既設枠載置部を上下方向に移動させることが可能である。このため、回転移動部材の回動だけで、下レールが切除された部位に対して既設枠載置部を上下方向に移動させることが可能である。また、回転移動部材は、対向部または既設枠載置部を上下方向に貫通するとともに螺合しているので、回転移動部材の回動により微少かつ定量的に既設枠載置部を上下方向に移動させることが可能である。
【００１２】
かかる改装サッシユニットであって、複数の前記下枠接合部材は、前記既設枠載置部と前記改装枠との間に介在される連結部材にて連結されていることが望ましい。  
このような改装サッシユニットによれば、既設枠載置部と改装枠との間に介在される複数の下枠接合部材が連結部材にて連結されているので、既設下枠に歪みが生じていても改装枠が載置される部位を全体として平坦になるように調整することが可能である。
【００１３】
かかる改装サッシユニットであって、前記改装枠が有する改装下枠は、室内側の部位と室外側の部位との間に断熱材が介在されており、前記室内側の部位と前記室外側の部位とがそれぞれ下接合部材に固定されていることが望ましい。  
このような改装サッシユニットによれば、改装枠が有する改装下枠は、室内側の部位と室外側の部位との間に断熱材が介在されており、室内側の部位と室外側の部位とがそれぞれ下接合部材に固定されているので、仮に火災等により断熱材が損傷しても、室内側の部位と室外側の部位とをそれぞれ下枠接合部材を介して躯体側の留めておくことが可能である。
【００１４】
また、室内外を連通する開口に設けられている既設サッシが有する既設枠の内周側に改装サッシを取り付ける改装サッシユニットの取付方法であって、前記既設枠が有する既設下枠の下レールを切除するレール切除工程と、前記既設下枠と前記改装サッシが有する改装枠との間に介在され前記改装枠の見付け方向の幅より狭い幅の複数の下枠接合部材を、見付け方向に互いに間隔を隔てて前記改装枠に固定する下枠接合部材取付工程と、前記改装枠が固定された複数の前記下枠接合部材を前記既設下枠の前記下レールが切除された部位に載置する改装枠載置工程と、前記改装枠が前記既設枠に載置された際に、複数の前記下枠接合部材の前記既設枠に載置された既設枠載置部より上方にて当該既設枠が固定されている室内側固定部を、前記下枠接合部材の室内側の部位にて覆うとともに、前記下枠接合部材を躯体に固定する下枠接合部材固定工程と、を有することを特徴とする改装サッシユニットの取付方法である。
【００１５】
このような改装サッシユニットの取付方法によれば、既設下枠と、改装サッシが有する改装枠との間に介在される下枠接合部材には改装枠が固定され、改装枠が固定された下枠接合部材が既設下枠の下レールが切除された部位に載置されるので、単に既設枠の内側に改装枠を配置する場合より、改装枠が載置される位置をより低くすることが可能である。このため単に既設枠の内周側に改装枠を取り付ける場合より、改装枠の内側に形成される開口を広くすることが可能である。このとき、既設枠載置部が載置される既設下枠は、下レールが切除されて凹凸が少ないので、改装枠を既設枠の内周側に安定した状態にて配置することが可能である。このため、改装枠を既設枠側に取り付ける際において既設枠を支える力が軽減されて施工し易いので、容易に改装することが可能である。
【００１６】
また、改装枠が既設枠に載置された際に、既設枠が固定されている室内側固定部を、下枠接合部材の室内側の部位にて覆うとともに下枠接合部材を躯体に固定するので、下枠接合部材が固定された改装枠を既設枠と同じ躯体に固定できる。このため、改装枠を確実に躯体に強固に固定し安定した状態に備えることが可能である。
また、下枠接合部材が改装枠の見付け方向の幅より狭いので、下枠接合部材を精度良く形成することが可能であるとともに、安価に製造することが可能である。また、下枠接合部材は、既設枠と改装枠との間に、互いに間隔を隔てて複数介在されるので、見付け方向の長さと同じ長さにて一体に形成されている場合より取り付け易い。このため、施工性が良く、また、改装枠をより安定させた状態で備えることが可能である。
【００１７】
かかる改装サッシユニットの取付方法であって、前記下枠接合部材は、前記既設下枠と前記改装枠との間に、互いに間隔を隔てて複数介在され、各々の前記下枠接合部材は、前記改装枠に固定される部位の位置を調整可能な調整機構を有し、複数の前記下枠接合部材は、前記下レールが切除された前記既設下枠上にて、各々の前記下枠接合部材の、前記改装枠に固定される部位の位置が前記調整機構により調整された後に、前記改装枠に固定されることが望ましい。  
このような改装サッシユニットの取付方法によれば、既設下枠と改装枠との間に、互いに間隔を隔てて複数介在される下枠接合部材は、下レールが切除された既設下枠上、すなわち、取り付けられる部位にて、各々の下枠接合部材の、改装枠に固定される部位の位置が調整された後に、改装枠に固定されるので、適切な調整がなされた後に、改装枠に固定される。このため、適切な位置に調整された下枠接合部材が固定された改装枠を既設下枠上に取り付けることにより、適正な状態で改装枠を取り付けることが可能である。また、下枠接合部材は、改装枠が取り付けられていない状態で調整されるので、調整しやすいため、より適切な調整を容易に行うことが可能である。
【発明の効果】
【００１８】
本発明によれば、改装枠の内側の開口をより広く確保することが可能な改装サッシユニット及び改装サッシユニットの取付方法を提供することが可能である。
【図面の簡単な説明】
【００１９】
【図１】第１実施形態に係る改装サッシユニット及び改装サッシユニットの取付方法を説明するための縦断面図である。
【図２】第１実施形態に係る改装サッシユニット及び改装サッシユニットの取付方法を説明するための水平断面図である。
【図３】図３（ａ）は、既設上枠の縦断面図であり、図３（ｂ）は、既設下枠の縦断面図である。
【図４】図４（ａ）は、改装上枠の縦断面図であり、図４（ｂ）は、改装下枠の縦断面図であり、図４（ｃ）は、改装縦枠の水平断面図である。
【図５】第１実施形態の下枠接合部材の斜視図である。
【図６】第１実施形態に係る改装サッシユニットの取付方法の一例を説明するためのフロー図である。
【図７】第２実施形態に係る改装サッシユニット及び改装サッシユニットの取付方法を説明するための縦断面図である。
【図８】第２実施形態の下枠接合部材及び連結部材を示す斜視図である。
【図９】第２実施形態の下枠接合部材の斜視図である。
【図１０】第２実施形態に係る改装サッシユニットの取付方法の一例を説明するためのフロー図である。
【発明を実施するための形態】
【００２０】
以下、本発明の実施形態に係る改装サッシユニット及び改装サッシユニットの取付方法について図面を参照して説明する。
【００２１】
本発明の第１実施形態に係る改装サッシユニット１は、図１、図２に示すように、例えば、新たに設けられる改装サッシ１０と、建物の室内外を連通する開口２に設けられている既設サッシの既設枠５０の内周側に改装サッシ１０を取り付けるための接合部材３５、３６、３７を有している。第１実施形態では、室内外を連通する開口２に設けられた半外付けタイプの既設枠５０の内周側に設けられる改装サッシユニット及び改装サッシユニットの取付方法について説明する。また、改装サッシ１０には、改装障子及び改装網戸が含まれるが、図１、図２では省略している。
【００２２】
以下の説明においては、建物等に取り付けられた状態の既設枠５０及び改装サッシ１０を室内側から見たときに、上下となる方向を上下方向、左右となる方向を左右方向または見付け方向、室内外方向である奥行き方向を見込み方向として示す。また、改装サッシユニットが備える各部材は、単体として説明する場合であっても開口２に取り付けられた状態で上下方向、見付け方向、見込み方向等となる方向にて方向を特定して説明する。また、開口の上部に取り付けられる枠部材の下側、開口２の下部に取り付けられる枠部材の上側、開口２の左側に取り付けられる枠部材の右側、開口２の右側に取り付けられる枠部材の左側を、開口２及び枠部材の中央側又は内側として説明する。
【００２３】
以下の実施形態においては、建物に既に設けられている既存の既設枠５０と、既設枠５０を開口２の内側から覆うように改装される改装サッシ１０とが登場するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００２４】
既設サッシの既設枠５０は、引き違い障子用の枠体であり、既設上枠５１及び既設下枠５２と、左右の既設縦枠５３とが矩形状に枠組みされて開口２に設けられている。尚、既設上枠５１、既設下枠５２、及び、左右の既設縦枠５３は押出成形部材であり、左右の既設縦枠５３は、既設障子と係合する既設係合片の形状及び位置は異なるものの、互いにほぼ左右対称の形状をなしている。
【００２５】
既設枠５０は、既設上枠５１が躯体３をなす窓まぐさ３ａに、既設下枠５２が躯体３をなす窓台３ｂに、左右の既設縦枠５３が躯体３をなす柱（方立）３ｃにそれぞれ固定されている。既設上枠５１、既設下枠５２、既設縦枠５３は、いずれも、見込み方向において、窓まぐさ３ａ、窓台３ｂ、柱３ｃの見込み方向におけるほぼ中央から室外側に設けられている。
【００２６】
本実施形態の既設枠５０は、改装サッシ１０を取り付ける際に、既設上枠５１と既設下枠５２とに加工が施されるので、加工前後の既設上枠５１と既設下枠５２を図３にて説明する。
【００２７】
既設上枠５１は、既設内障子（不図示）を案内するための既設内上レール５１ａと、既設外障子（不図示）を案内するための既設外上レール５１ｂと、既設網戸（不図示）を案内するための既設網戸上レール５１ｃと、既設額縁３０と対向する既設上額縁対向部５１ｄとを有している。既設内上レール５１ａ、既設外上レール５１ｂ、既設網戸上レール５１ｃ、既設上額縁対向部５１ｄは、上端側にて繋がっている。また、既設上枠５１は、上部に設けられ上方に向かって突出された固定フィン５１ｅにて窓まぐさ３ａに固定されている。既設内上レール５１ａ、既設外上レール５１ｂ、既設網戸上レール５１ｃ、既設上額縁対向部５１ｄは、いずれも見付け方向の全域に渡って鉛直方向に垂設された板状の部位である。そして、室内側から既設上額縁対向部５１ｄ、既設内上レール５１ａ、既設外上レール５１ｂ、既設網戸上レール５１ｃの順で配置され、見込み方向に互いに間隔を隔てて対面するように設けられている。また、既設内上レール５１ａ、既設外上レール５１ｂ、および、既設網戸上レール５１ｃの下端は、ほぼ同じ位置まで延出されている。
【００２８】
既設下枠５２は、加工が施される前の状態では、既設内障子（不図示）を案内するための既設内下レール５２ａと、既設外障子（不図示）を案内するための既設外下レール５２ｂと、既設網戸（不図示）を案内するための既設網戸下レール５２ｃと、室内側にて床材４に当接されて固定される室内側固定部としての床材対向部５２ｄとが、見込み方向に互いに間隔を隔てて設けられている。床材対向部５２ｄの上端からは室内側に向かって延出され、対向する床材４の端部の上面を覆う床材覆い部５２ｅが設けられており、床材覆い部５２ｅは上方からビス６１にて床材４に固定されている。
【００２９】
また、既設下枠５２は、室内側に位置する床材覆い部５２ｅが最も高い位置に配置され、その室外側に床材覆い部５２ｅより低く形成されたほぼ水平面をなし既設内下レール５２ａが突設された室内側段部５２ｆを有し、その室外側に室内側段部５２ｆより低く形成されたほぼ水平面をなし既設外下レール５２ｂが突設された中央段部５２ｇを有し、その室外側に中央段部５２ｇより低く形成されたほぼ水平面をなし既設網戸下レール５２ｃが突設された室外側段部５２ｈを有している。すなわち、既設下枠５２は、室内側から室外側に向かって順次低くなるように床材覆い部５２ｅ、室内側段部５２ｆ、中央段部５２ｇ、室外側段部５２ｈの４つのほぼ水平な部位が階段状に配置されている。
【００３０】
また、既設下枠５２は、中央段部５２ｇから室内側に延出された既設延出部５２ｉと床材対向部５２ｄから下方に垂設された既設垂設部５２ｊとが繋がっており、既設垂設部５２ｊの、既設延出部５２ｉと既設垂設部５２ｊとが繋がった部位より僅かに高い位置から室内側かつ下方に突出された躯体固定部５２ｋが設けられている。
【００３１】
既設下枠５２は、既設延出部５２ｉが窓台３ｂ上に載置されるとともに下方に向かって突出された固定フィン５２ｌが窓台３ｂの室外側の面に当接され、固定フィン５２ｌと躯体固定部５２ｋとが窓台３ｂにビス６１、６２にて固定されている。
【００３２】
そして、改装サッシユニット１が既設枠５０の内周側に取り付けられるときには、既設内下レール５２ａが室内側段部５２ｆの上面に合わせて、既設外下レール５２ｂが中央段部５２ｇの上面に合わせて、既設網戸下レール５２ｃが室外側段部５２ｈの上面に合わせて、いずれも切除される。
【００３３】
既設縦枠５３は、見込み方向に沿う平面でなる既設縦枠本体部５３ｂと、既設縦枠本体部５３ｂから開口２の中央側に突出され既設障子の既設戸先框が係合される既設係合片５３ａと、既設枠５０の室外側にて配置され既設縦枠本体部５３ｂから開口２の中央側に突出され既設網戸の既設縦框に挿入される既設挿入片５３ｄと、既設挿入片５３ｄと見付け方向において反対側に既設縦枠本体部５３ｂから突出された固定フィン５３ｅと、を有している。
【００３４】
改装サッシユニット１は、新たに取り付けられる改装サッシ１０と、改装サッシ１０を取り付けるための上枠接合部材３５、下枠接合部材３６、縦枠接合部材３７と、既設上枠５１の室外側を覆う既設枠カバー３８と、を有している。
【００３５】
改装サッシ１０は、建物等の開口に直接新設可能な一般的なサッシである。すなわち、改装専用のサッシではない。このため、改装に使用される際には、図４に示すように、改装上枠１１ａ、改装下枠１１ｂ、改装縦枠１１ｃは、いずれも新設時に躯体に固定するための固定フィン１３ｄ、１４ｋ、１５ｇの一部または全部を切除して用いられる。左右の改装縦枠本体１５は、改装障子との改装係合片１５ａを除いて、互いに左右が異なる対称な形状をなしているので、図４では、左側の改装縦枠１１ｃのみを示し、右側の改装縦枠１１ｃについては説明を省略する。
【００３６】
改装サッシ１０の改装枠１１も引き違い障子用の枠体であり、改装サッシ１０の改装障子（不図示）が案内される改装レール１３ａ、１３ｂ、１４ａ、１４ｂを有する改装上枠１１ａ及び改装下枠１１ｂと、左右の改装縦枠１１ｃが矩形状に枠組みされている。
【００３７】
改装上枠１１ａ、改装下枠１１ｂ、及び、左右の改装縦枠１１ｃはいずれも押出成形部材である。
【００３８】
改装上枠１１ａは、改装上枠本体１３と、改装上枠本体１３の室内側の部位に嵌合されて改装額縁６０（図１）と連結される上額縁固定部材１７とを有している。
【００３９】
改装上枠本体１３は、改装内障子を案内するための改装内上レール１３ａと、改装外障子を案内するための改装外上レール１３ｂと、改装網戸を案内するための改装網戸上レール１３ｃとが、見込み方向に互いに間隔を隔てて設けられている。改装内上レール１３ａと、改装外上レール１３ｂと、改装網戸上レール１３ｃとは、改装上枠本体１３の見付け方向の全域に渡って鉛直方向に垂設されている。また、改装網戸上レール１３ｃは、改装上枠本体１３の最も室外側に設けられている。また、改装上枠本体１３の上部には、上方に延出されて、新設サッシとして使用される際には躯体３に固定される固定フィン１３ｄが設けられている。この固定フィン１３ｄは、改装サッシ１０として使用される際には、図４（ａ）に示すように、ほぼ半分の長さに切断される。
【００４０】
また、改装上枠本体１３は、改装内上レール１３ａと改装外上レール１３ｂとの間にて分断されており、室外側の部位と室内側の部位とが断熱材７２を介して接合されて断熱性が確保されている。
【００４１】
改装上枠本体１３の、断熱材７２より室外側の部位の上面は、見込み方向の中央より室内側がほぼ水平面をなし、中央より室外側は室外側に向かって低くなるように僅かな傾斜が設けられた滑らかな面をなしている。また、断熱材７２より室内側は、室外側の部位より低く窪みが形成されている。このため、改装上枠本体１３は、水平面をなす部位より上方に突出しないように形成されている。
【００４２】
上額縁固定部材１７は、改装上枠本体１３の改装内上レール１３ａより室内側の部位に嵌合される嵌合部１７ａと、嵌合部１７ａから室内側に延出されて改装額縁６０にビス止めされる額縁固定部１７ｂとを有している。
【００４３】
改装下枠１１ｂは、改装下枠本体１４と、改装内下レール１４ａと改装外下レール１４ｂとの間を覆う外カバー部材１９ａと、改装内下レール１４ａより室内側の部位を覆う内カバー部材１９ｂと、見込み方向において改装下枠本体１４と改装額縁６０との間に挿入される壁部１９ｄ（図１）を有し上端が室内外方向に延出されて改装下枠本体１４と改装額縁６０との間を覆う額縁カバー１９ｃ（図１）と、を有している。
【００４４】
改装下枠本体１４は、改装内障子を案内するための改装内下レール１４ａと、改装外障子を案内するための改装外下レール１４ｂと、改装網戸を案内するための改装網戸下レール１４ｃとが、見込み方向に互いに間隔を隔てて設けられている。改装下枠本体１４の室内側の端部は、改装サッシ１０の室内側に設けられた改装額縁６０と対向する平面を有する額縁対向部１４ｄが設けられている。額縁対向部１４ｄの下端は、後述する下枠接合部材３６に当接されるとともに、室内側に延出された改装延出部１４ｅが下枠接合部材３６と重なってビス６１にて固定される。
【００４５】
額縁対向部１４ｄと改装内下レール１４ａとを繋ぐ部位のほぼ中央には、下方に延出されて下枠接合部材３６に支持される室内側脚部１４ｆと、改装内下レール１４ａより僅かに室外側から下方に延出されて下枠接合部材３６に支持される中央脚部１４ｇと、改装外下レール１４ｂの下方に延出されて下枠接合部材３６に支持される室外側脚部１４ｈと、を有し、中央脚部１４ｇと室外側脚部１４ｈとを下端側にて連結する連結部１４ｉを有している。また、連結部１４ｉから室外側に、改装網戸下レール１４ｃとほぼ同じ位置まで延出された延出部１４ｊが形成され、延出部１４ｊの先端は、室内側に屈曲されている。また、改装下枠本体１４の下部には、中央脚部１４ｇから下方に延出されて、新設サッシとして使用される際には躯体３に固定される固定フィンが１４ｋ設けられている。この固定フィン１４ｋは、改装サッシ１０として使用される際には、図４（ｂ）に示すように切断される。
【００４６】
また、改装下枠本体１４は、改装内上レール１３ａと中央脚部１４ｇとの間にて分断されており、改装内上レール１３ａ側の部位と中央脚部１４ｇ側の部位とが断熱材７２を介して接合されて断熱性が確保されている。
【００４７】
改装縦枠１１ｃは、改装縦枠本体１５と、改装縦枠本体１５の室内側の部位に嵌合されて改装額縁６０と連結される縦額縁固定部材１８とを有している。
【００４８】
改装縦枠本体１５は、見込み方向に沿う平面を有する改装縦枠見込部１５ｂと、改装縦枠見込部１５ｂから建物開口の中央側に突出され改装障子の改装戸先框が係合される改装係合片１５ａと、改装縦枠見込部１５ｂの室内側の縁部から改装枠１１の外周側に突出され縦枠接合部材３７の室内側に配置される室内側係合部１５ｃと、改装縦枠見込部１５ｂの室内側の縁部から改装枠１１の内周側に突出された縦枠内突出部１５ｄと、改装枠１１の最も室外側に配置され改装縦枠見込部１５ｂから改装枠１１の内周側に突出され改装網戸の改装縦框に挿入される改装挿入片１５ｅと、改装枠１１の室外側の縁部に改装挿入片１５ｅと見付け方向において反対側に突出された改装縦枠縁部１５ｆと、を有している。
【００４９】
また、改装縦枠本体１５の改装縦枠見込部１５ｂから、開口２の外周側に突出させて、新設サッシとして使用される際には躯体３に固定される固定フィンが１５ｇ設けられている。この固定フィン１５ｇは、改装サッシ１０として使用される際には、図４（ｃ）に示すように切断される。
【００５０】
縦額縁固定部材１８は、改装縦枠本体１５の室内側の部位に嵌合される嵌合部１８ａと、嵌合部１８ａから室内側に延出されて改装額縁６０にビス止めされる額縁固定部１８ｂとを有している。
【００５１】
上枠接合部材３５は、アルミニウム製の押し出し成形部材であり、見付け方向において既設上枠５１のほぼ全域に設けられる。
【００５２】
上枠接合部材３５は、既設内上レール５１ａ及び既設外上レール５１ｂの下縁に当接されて下面が平坦なレール当接部３５ａと、レール当接部３５ａの室内側の端部から上方に立設され、既設内上レール５１ａと既設上額縁対向部５１ｄとの間に配置される室内側壁部３５ｂと、レール当接部３５ａの室外側の端部から上方に立設され、既設外上レール５１ｂより室外側に配置される室外側壁部３５ｃとを有している。この上枠接合部材３５は、室外側壁部３５ｃが既設外上レール５１ｂの室外側の面に当接されてビス止めされると、室内側壁部３５ｂが既設内上レール５１ａと既設上額縁対向部５１ｄとのほぼ中央に配置される。そして、上枠接合部材３５の下方からレール当接部３５ａを貫通するビス６３が室内側壁部３５ｂと既設内上レール５１ａとの間からまぐさ３ａに固定される。
【００５３】
下枠接合部材３６は、プレス加工により鋼板を曲げ起こして形成されており、下枠接合部材３６の見付け方向の幅は、改装下枠１１ｂの見付け方向の幅より十分に狭い。このため、下枠接合部材３６は、改装下枠１１ｂと既設下枠５２との間に、見付け方向に適宜間隔を隔てて複数設けられている。
【００５４】
下枠接合部材３６は、図５に示すように、既設内下レール５２ａが切除された室内側段部５２ｆの上面に載置されるとともに中央段部５２ｇ上突出して中央段部５２ｇと対向し、改装下枠１１ｂが載置される既設枠載置部３６ａと、既設枠載置部３６ａの室内側の端部から上方に立設された室内側鉛直部３６ｂと、室内側鉛直部３６ｂの上端部が室内側に延出され既設下枠５２の床材覆い部５２ｅの上面を覆うように配置される改装枠躯体固定部としての既設枠覆い部３６ｃと、既設枠載置部３６ａの中央段部５２ｇ側に張り出した部位の見付け方向の端部から各々垂設されて中央段部５２ｇに当接される側壁部３６ｄと、側壁部３６ｄの下端側から室外側に向かって突出されて互いに対向する側に折り曲げられて形成され改装下枠１１ｂの中央脚部１４ｇに固定されるビスが貫通するビス固定部３６ｅとを有している。
【００５５】
ここで、既設枠覆い部３６ｃが、既設枠載置部３６ａの室内側に設けられ、既設枠載置部３６ａより高い位置にて既設下枠５２の既設枠躯体固定部としての床材覆い部５２ｅの上部を覆い、床材覆い部５２ｅとともに躯体３に固定される改装枠躯体固定部に相当する。また、ビス固定部３６ｅが、既設枠載置部３６ａの室外側に設けられ、既設枠載置部３６ａから垂設されて改装下枠１１ｂと対向し改装下枠１１ｂと固定される改装枠固定部に相当する。
【００５６】
左右の縦枠接合部材３７は、アルミニウム製の押し出し成形部材であり、改装縦枠１１ｃとほぼ同じ長さを有している。左右の縦枠接合部材３７は、左右が反転した対称形状をなしており、同一の部材が用いられる。ここでは、左の縦枠接合部材３７を例に挙げて説明する。
【００５７】
縦枠接合部材３７は、改装縦枠１１ｃの改装縦枠見込部１５ｂと見付け方向に間隔を隔てて対向して配置される縦枠対向部３７ａと、縦枠対向部３７ａの室外側の端部から開口２の中央側に延出され、改装縦枠１１ｃの改装縦枠縁部１５ｆと係合される室外側係合部３７ｂと、縦枠対向部３７ａの室内側の端部から開口２の中央側に延出され、改装縦枠１１ｃの室内側係合部１５ｃの室外側に配置されて改装縦枠１１ｃにビス止めされるビス固定部３７ｃと、縦枠対向部３７ａと繋がってビス固定部３７ｃより室内側に延出された室内側延出部３７ｄとを有している。室内側延出部３７ｄは、縦枠接合部材３７が改装縦枠１１ｃに固定されたときに、改装縦枠本体１５に嵌合された縦額縁固定部材１８より室内側に延出され、その縦額縁固定部材１８より室内側に延出された部位にビスが貫通されて躯体３に固定される。
【００５８】
既設枠カバー３８は、既設上枠５１の室外側の面をなす既設網戸上レール５１ｃに固定されるカバー保持部材３９と、カバー保持部材３９に嵌合されるカバー部材４０とを有している。カバー保持部材３９は、断面がほぼコ字状をなす部材であり、既設上枠５１の見付け方向に沿ってほぼ全域に設けられる。コ字状をなすカバー保持部材３９の開放側が室外側に向けられて、開放されていない側の部位３９ａが既設上枠５１に当接されてビス止めされる。カバー保持部材３９の開放側縁部は、いずれも互いに対向する方向に屈曲された屈曲部３９ｂを有している。一方、カバー部材４０は、既設上枠５１の既設網戸上レール５１ｃを覆って改装上枠１１ａの上面に至る板状のカバー板部４０ａと、カバー板部４０ａの室内側に突出され、カバー保持部材３９の屈曲部３９ｂに嵌合する２つの嵌合片４０ｂとを有している。すなわち、既設枠カバー３８は、既設上枠５１の既設網戸上レール５１ｃに固定されたカバー保持部材３９にカバー部材４０が嵌合されて改装上枠１１ａの上部に露出する既設上枠５１を覆うように形成されている。
【００５９】
第１実施形態の改装サッシユニット１の取付方法は、図６に示すように、既設枠５０が有する既設下枠５２の既設内下レール５２ａ、既設外下レール５２ｂ、既設網戸下レール５２ｃを切除するレール切除工程Ｓ１と、既設枠５０と改装サッシ１０が有する改装枠１１との間に介在される下枠接合部材３６を改装枠１１に固定する下枠接合部材取付工程Ｓ２と、改装枠１１が固定された下枠接合部材３６を既設下枠５２の既設内下レール５２ａが切除された室内側段部５２ｆに載置する改装枠載置工程Ｓ３と、改装枠１１が既設下枠５２に載置された際に、下枠接合部材３６の既設下枠５２に載置された既設枠載置部３６ａより上方にて当該既設枠５０が躯体３に固定されている床材覆い部５２ｅを、下枠接合部材３６の室内側の既設枠覆い部３６ｃにて覆うとともに、下枠接合部材３６を固定する下枠接合部材固定工程Ｓ４と、を有している。ここで、レール切除工程Ｓ１と下枠接合部材取付工程Ｓ２との順序は逆であっても、また同時に行っても構わない。
【００６０】
より具体的には、まず、既設枠５０の既設網戸上レール５１ｃの一部と既設内下レール５２ａ、既設外下レール５２ｂ、既設網戸レール５２ｃを切除する（レール切除工程Ｓ１）。このとき、既設枠５０の既設網戸上レール５１ｃは、上枠接合部材３５を既設外上レール５１ｂにビス止めする際に邪魔にならないように下端側の部分を切除するが上端側から半分より多くの部位を残存させておく。また、既設内下レール５２ａ、既設外下レール５２ｂ、既設網戸レール５２ｃはいずれも、切除した部位が平坦になるように切除する。このため、既設内下レール５２ａ、既設外下レール５２ｂ、既設網戸レール５２ｃが切除された後の、室内側段部５２ｆ、中央段部５２ｇ、室外側段部５２ｈはいずれも平坦な上面をなしている。ここで、下枠接合部材３６が載置される室内側段部５２ｆ及び中央段部５２ｇに設けられていて切除される既設内下レール５２ａ及び既設外下レール５２ｂが、既設枠載置部３６ａが載置される部位にて切除される下レールに相当する。
【００６１】
次に、上枠接合部材３５の室内側壁部３５ｂを既設内上レール５１ａと既設上額縁対向部５１ｄとの間に配置し、室外側壁部３５ｃを既設外上レール５１ｂと既設網戸上レール５１ｃとの間に配置して、既設内上レール５１ａと既設外上レール５１ｂを下方から覆うように、上枠接合部材３５を既設上枠５１に固定する。このとき、上枠接合部材３５のレール当接部３５ａを既設内上レール５１ａと既設外上レール５１ｂの下端に当接させる。そして、室外側壁部３５ｃの室内側の面を既設外上レール５１ｂの室外側の面に当接させて、下方からレール当接部３５ａを貫通するビスを既設内上レール５１ａと室内側壁部３５ｂの間を通して躯体３に螺合する。
【００６２】
このとき、改装枠１１を矩形状に枠組みしておく。そして、図４（ａ）〜図４（ｃ）に示すように、改装枠１１の改装上枠１１ａの上方に延出された固定フィン１３ｄは、上側のほぼ半分を、改装下枠１１ｂの中央脚部１４ｇの下方に延出された固定フィン１４ｋの全部を、改装縦枠１１ｃの固定フィン１５ｇは改装縦枠見込部１５ｂ側の一部を残して切除しておく。
【００６３】
枠組みされた改装枠１１の改装下枠１１ｂには、見付け方向に間隔を隔てて複数の下枠接合部材３６を、例えば見付け方向において中央から振り分けて配置してビス止めする。具体的には、既設枠載置部３６ａに改装延出部１４ｅを当接させるとともに、室内側に延出された改装延出部１４ｅを貫通するビス６４にて下枠接合部材３６に固定し、ビス固定部３６ｅを改装下枠１１ｂの中央脚部１４ｇに室内側から貫通するビス６５にて固定しておく（下枠接合部材取付工程Ｓ２）。このとき、改装上枠１１ａの固定フィン１３ｄの残存している部位に、カバー保持部材３９をビス止めしておく。また、左右の改装縦枠１１ｃには、縦枠接合部材３７をビス止めするとともに、左右の改装縦枠１１ｃに縦枠接合部材３７が取り付けられた上端部と下端部とには、左右の改装縦枠１１ｃに縦枠接合部材３７が取り付けられて形成された上下に連通する中空部を覆うキャップ部材（不図示）を取り付けておく。ここで、改装枠１１の固定フィン１３ｄ、１４ｋ、１５ｇの切除から、改装枠１１を枠組みして下枠接合部材３６、縦枠接合部材３７、及び、キャップを改装枠１１に取り付ける工程は施工現場で行っても良いが、予め工場にて行うとより精度良く枠組みすることが可能である。
【００６４】
次に、改装下枠１１ｂに下枠接合部材３６が固定され、左右の改装縦枠１１ｃに縦枠接合部材３７がそれぞれ固定された改装枠１１を既設枠５０の内周側に配置する。具体的には、下枠接合部材３６及び縦枠接合部材３７が取り付けられた改装枠１１を室外側から、上枠接合部材３５が取り付けられた既設枠５０の内側へ挿入する。このとき、改装枠１１に取り付けられた下枠接合部材３６の既設枠載置部３６ａの下面を既設下枠５２の室内側段部５２ｆ上に載置し（改装枠載置工程Ｓ３）、側壁部３６ｄの下縁を中央段部５２ｇに当接させると、改装下枠１１ｂに取り付けられた下枠接合部材３６の既設枠覆い部３６ｃが既設下枠５２の床材覆い部５２ｅ上に配置される。また、上枠側では、改装上枠１１ａの固定フィン１３ｄの残存部分の室内側の面を、既設外上レール５１ｂに当接された室外側壁部３５ｃの室外側の面に当接させる。
【００６５】
そして、既設上網戸レール５１ｃの切除した部位から固定フィン１３ｄの残存部分と室外側壁部３５ｃとを上方から貫通するビス６５を既設外上レール５１ｂに螺合することにより、改装上枠１１ａを固定する。
【００６６】
また、改装下枠１１ｂ側は、床材覆い部５２ｅ上に位置する、下枠接合部材３６の既設枠覆い部３６ｃ及び床材４を貫通するビス６３を躯体３に螺合させて固定し（下枠接合部材固定工程Ｓ４）、改装縦枠１１ｃ側は、縦枠対向部３７ａと繋がって室内側に延出された室内側延出部３７ｄと既設縦枠５３を貫通するビス６３にて躯体３に螺合する。
【００６７】
改装枠１１を躯体３にビス止めした後に、改装枠１１の室内側に改装額縁６０を配置する。このとき、改装上枠１１ａ側は、改装額縁６０が既設額縁３０との間に飼い木が介在されて配置される。そして、改装額縁６０の室外側の端部が改装上枠１１ａに近接された状態にて、改装上枠本体１３の改装内上レール１３ａより室内側の部位に上額縁固定部材１７が嵌合され、嵌合された上額縁固定部材１７の嵌合部１７ａと改装上枠本体１３とを貫通するビス６５を上枠接合部材３５のレール当接部３５ａに螺合し、上額縁固定部材１７の額縁固定部１７ｂを貫通するビス６１にて改装額縁６０にビス止めする。
【００６８】
また、改装下枠１１ｂ側は、改装額縁６０の室外側の端部が額縁対向部１４ｄと僅かに間隔を隔てて位置し、改装延出部１４ｅと下枠接合部材３６とを固定するビス６４及び下枠接合部材３６の既設枠覆い部３６ｃを覆うように改装額縁６０を配置する。その後、改装額縁６０と額縁対向部１４ｄとの隙間に、壁部１９ｄを挿入して額縁カバー１９ｃを備え、上方から額縁カバー１９ｃを貫通するビス６１を改装額縁６０に螺合して、額縁カバー１９ｃと改装額縁６０とを固定する。
【００６９】
改装縦枠１１ｃ側は、改装額縁６０が既設額縁３０及び既設縦枠５３との間に飼い木が介在されて配置される。そして、改装額縁６０の室外側の端部が改装縦枠１１ｃに近接された状態にて、改装縦枠本体１５の室内側の部位に縦額縁固定部材１８が嵌合され、嵌合された縦額縁固定部材１８の嵌合部１８ａと改装縦枠本体１５とを貫通するビスを縦枠接合部材３７に螺合し、縦額縁固定部材１８の額縁固定部１８ｂを貫通するビス６１を改装額縁６０にビス止めする。
【００７０】
最後に、カバー部材４０を既設上枠５１の既設網戸上レール５１ｃ設けられたカバー保持部材３９に嵌合して改装サッシユニット１の取り付けを完了する。
【００７１】
第１実施形態の改装サッシユニット１によれば、改装枠１１が載置されて固定される既設枠載置部３６ａは、既設枠５０が固定されている床材対向部５２ｄより下方に位置するので、単に既設枠５０の内側に改装枠１１を配置する場合より、改装枠１１が載置される位置を低くすることが可能である。このため単に既設枠５０の内周側に改装枠１１を取り付ける場合より、改装枠１１の内側に形成される開口を広くすることが可能である。
【００７２】
また、改装枠１１に固定された下枠接合部材３６は、室内側にて床材対向部５２ｄの上部を覆い、当該床材対向部５２ｄとともに躯体３に固定される既設枠覆い部３６ｃを有しているので、下枠接合部材３６が固定された改装枠１１を躯体３に固定することが可能である。このため、改装枠１１を強固に躯体３に固定し安定した状態に備えることが可能である。
【００７３】
また、改装枠１１が載置されて固定される既設枠載置部３６ａが、既設下枠５２が有する既設内下レール５２ａが切除された部位に載置されるので、改装枠１１が載置される位置を既設内下レール５２ａの高さ分低くすることが可能である。このため単に既設枠５０の既設内下レール５２ａ上に改装枠１１を取り付ける場合より、改装枠１１の内側に形成される開口をさらに広くすることが可能である。また、既設枠載置部３６ａが載置される既設下枠５２の室内側段部５２ｆ及び中央段部５２ｇは、既設内下レール５２ａ及び既設外下レール５２ｂが切除されて上面が平坦なので、改装枠１１を既設枠５０の内周側に安定した状態にて配置することが可能である。このため、改装枠１１を既設枠５０側に取り付ける際において改装枠１１を支える力が軽減されるので、施工性に優れた改装サッシユニット１を提供することが可能である。
【００７４】
また、下枠接合部材３６が改装枠１１の見付け方向の幅より狭いので、下枠接合部材３６を精度良く形成することが可能であるとともに、安価に製造することが可能である。また、下枠接合部材３６は、既設下枠５２と改装下枠１１ｂとの間に、互いに間隔を隔てて複数介在されるので、見付け方向の長さと同じ長さにて一体に形成されているものより取り付け易く施工性に優れている。
【００７５】
また、改装枠１１が有する改装下枠１１ｂは、室内側の部位と室外側の部位との間に断熱材７２が介在されており、室内側となる改装内上レール１３ａ側の部位と室外側となる中央脚部１４ｇ側の部位とがそれぞれ下枠接合部材３６に固定されているので、仮に火災等により断熱材７２が損傷しても、室内側の部位と室外側の部位とをそれぞれ下枠接合部材３６を介して躯体３側に留めておくことが可能である。
【００７６】
また、第１実施形態の改装サッシユニット１の取付方法によれば、既設下枠５２と、改装サッシ１０が有する改装枠１１との間に介在される下枠接合部材３６には改装枠１１が固定され、改装枠１１が固定された下枠接合部材３６が既設下枠５２の既設内下レール５２ａが切除された部位に載置されるので、単に既設枠５０の内側に改装枠１１を配置する場合より、改装枠１１が載置される位置をより低くすることが可能である。このため単に既設枠５０の内周側に改装枠１１を取り付ける場合より、改装枠１１の内側に形成される開口を広くすることが可能である。
【００７７】
また、改装枠１１が既設下枠５２に載置された際に、既設下枠５２が固定されている床材対向部５２ｄを、下枠接合部材３６の室内側の部位にて覆うとともに下枠接合部材３６を躯体３に固定するので、下枠接合部材３６が固定された改装枠１１を躯体３に固定できる。このため、改装枠１１を確実に躯体３に強固に固定し安定した状態に備えることが可能である。
【００７８】
次に、第２実施形態について説明する。以下の説明においては、第１実施形態と同一構成部分については重複する説明を省略する。
【００７９】
第２実施形態に係る改装サッシユニット１００は、図７、図８に示すように、例えば、新たに設けられる改装サッシ１０と、建物の室内外を連通する開口２に設けられている既設サッシの既設枠５０の内周側に改装サッシ１０を取り付けるための複数の下枠接合部材１３６と、複数の下枠接合部材１３６を見付け方向に連結する連結部材１４０と、下枠接合部材１３６と下枠との間に介在される補強プレート１４９と、を有している。第２実施形態も、室内外を連通する開口２に設けられた半外付けタイプの既設枠５０の内周側に設けられる改装サッシユニット及び改装サッシユニットの取付方法について説明する。
【００８０】
第２実施形態の改装サッシユニット１００は、下枠接合部材１３６が既設枠載置部１３６ａを上下方向に移動可能な上下移動機構１３７を有しているとともに、見付け方向に沿って複数並べて設けられる下枠接合部材１３６を連結する連結部材１４０及び補強プレート１４９が、既設枠載置部１３６ａと改装枠１１との間、より具体的には、複数（本実施形態では６個）の下枠接合部材１３６と改装枠１１との間に設けられている点で、第１実施形態と相違している。
【００８１】
第２実施形態の下枠接合部材１３６は、プレス加工により鋼板を曲げ起こして形成されており、見付け方向に適宜間隔を隔てて６個設けられている。
【００８２】
下枠接合部材１３６は、図９に示すように、既設内下レール５２ａ(図３)が切除された室内側段部５２ｆ(図３)の上面に載置されるとともに中央段部５２ｇ上に突出して中央段部５２ｇ(図３)と対向する既設枠載置部１３６ａと、既設枠載置部１３６ａの室内側の端部から上方に立設された室内側鉛直部１３６ｂと、室内側鉛直部１３６ｂの上端部が室内側に延出され既設下枠５２の床材覆い部５２ｅ(図３)の上面を覆うように配置される改装枠躯体固定部としての既設枠覆い部１３６ｃと、既設枠載置部１３６ａの中央段部５２ｇ側に張り出した部位の見付け方向の端部から各々垂設されて中央段部５２ｇに当接される側壁部１３６ｄと、側壁部１３６ｄの下端側から室外側に向かって突出されて互いに対向する側に折り曲げられて形成され改装下枠１１ｂの中央脚部１４ｇに固定されるビスが貫通するビス固定部１３６ｅと、既設枠載置部１３６ａの見込み方向における中央付近から、見付け方向における両端部側を残して下方に垂設された垂設壁部１３６ｆと、垂設壁部１３６ｆの下端から室外側に延出された対向部としての延出部１３６ｇとを有している。
【００８３】
既設枠載置部１３６ａには、改装枠１１に下枠接合部材１３６を固定するための固定孔１３６ｉと、後述する連結部材１４０を固定するためのタップ孔１３６ｈとが設けられており、延出部１３６ｇには、ほぼ中央に上方からビス１５０が螺合されるタップ孔１３６ｊが設けられている。延出部１３６ｇのタップ孔１３６ｊに螺合されたビス１５０は回転されて延出部１３６ｇに対して直交方向に進退可能に設けられ、ビス１５０にはビス１５０を所定の位置に保持するための緩み防止用のナット１５５が螺号されている。そして、既設枠載置部１３６ａが室内側段部５２ｆに載置された状態で、延出部１３６ｇと対向する中央段部５２ｇとビス１５０の先端との間に補強プレート１４９が設けられており、ビス１５０が下方に移動するようにビス１５０を回転させると既設枠載置部１３６ａから下方に突出するビス１５０の長さが長くなり、ビス１５０の先端が中央段部５２ｇ上に載置された補強プレート１４９に当接することにより既設枠載置部１３６ａが上方に移動するように構成されている。すなわち、延出部１３６ｇと延出部１３６ｇのタップ孔１３６ｊに螺合されたビス１５０とが既設枠載置部１３６ａを上下方向に移動可能な上下移動機構及び調整機構に相当し、ビス１５０が回転移動部材に相当する。
【００８４】
連結部材１４０は、６個の下枠接合部材１３６のうち見付け方向において両端に配置される２つの下枠接合部材１３６を含む幅、または、両端に配置される２つの下枠接合部材１３６より端側にそれぞれ突出する長さを有している。連結部材１４０は、６個の下枠接合部材１３６の各既設枠載置部１３６ａ上に載置されてビス止めされる平板状の本体部１４１と、本体部１４１の室内側の縁から上方に立ち上がった室内側壁部１４２と、本体部１４１の室外側の縁から下方に垂設された室外側壁部１４３と、を有している。
【００８５】
室内側壁部１４２は、本体部１４１が下枠接合部材１３６にビス止めされた状態で室内側鉛直部１３６ｂと近接して沿うように形成されており、室外側壁部１４３は、本体部１４１が下枠接合部材１３６にビス止めされた状態で既設枠載置部１３６ａ及び延出部１３６ｇの最も室外側の縁より室外側に位置するように形成されている。本体部１４１には、６個の下枠接合部材１３６と連結部材１４０とを接合するためのタップ孔１３６ｈに螺合されるビスが貫通する孔１４１ａの他に、各下枠接合部材１３６の固定孔１３６ｉに螺号されるビス６４が貫通する貫通孔１４１ｂと、下枠接合部材１３６と連結部材１４０とが接合された状態にて、ビス１５０を回動させるための開口１４１ｃとが設けられている。また、室外側壁部１４３には、見付け方向において本体部１４１の開口と同じ位置に、ビス１５０の緩み止めをなすナット１５５を締め込むための切欠部１４３ａが設けられている。
【００８６】
補強プレート１４９は、見付け方向の幅及び見込み方向の幅が、いずれも延出部１３６ｇとほぼ同じ大きさをなす、ステンレス製の平板部材である。この補強プレート１４９は、ビス１５０が回転されて下方に突出して押圧する押圧力が中央段部５２ｇの一点に集中しないように、ビス１５０と中央段部５２ｇとの間に設けられている。
【００８７】
第２実施形態の改装サッシユニット１００の取付方法は、図１０に示すように、第１実施形態の改装サッシユニット１の取付方法における、レール切除工程Ｓ１と、下枠接合部材取付工程Ｓ２と、の間に、ビス１５０を螺合した６個の下枠接合部材１３６を、連結部材１４０にて連結された状態にて既設下枠５２上に配置して、連結部材１４０の本体部１４１の上面が平坦になるように調整する調整工程Ｓ１−１とを有している。
【００８８】
６個の下枠接合部材１３６は、例えば工場等にて、図８に示すように、連結部材１４０の本体部１４１の下面に、各下枠接合部材１３６の既設枠載置部１３６ａの上面を当接させてビス１５１にて固定されている。
【００８９】
調整工程Ｓ１−１では、まず、連結部材１４０にて連結された６つの下枠接合部材１３６を既設下枠５２上に載置する。このとき、既設枠載置部１３６ａの下面を、既設内下レール５２ａが切除された室内側段部５２ｆの上面に載置して、後に下枠接合部材１３６の既設枠覆い部１３６ｃが、躯体３に螺合されるビス６３にて固定される取付位置に配置する。このとき、連結された６つの下枠接合部材１３６を既設下枠５２上に載置する際には、中央段部５２ｇ上において、下枠接合部材１３６の延出部１３６ｇと対向する位置に補強プレート１４９を各々配置しておく。ここで、連結された下枠接合部材１３６を位置決めするために、ビス６３にて仮止めしておいても良い。
【００９０】
連結部材１４０にて連結された下枠接合部材１３６を取付位置に配置した後に、連結部材１４０の本体部１４１の上面が平坦になるように、例えば連結部材１４０上に水準器を載置した状態で６個の下枠接合部材１３６に螺合されているビス１５０を回転させ、各下枠接合部材１３６の既設枠載置部１３６ａの高さを調整する。高さを調整し終わった状態では、各下枠接合部材１３６に螺合されているビス１５０の先端を補強プレート１４９上に当接させ、切欠部１４３ａ側からナット１５５を締めておく。
【００９１】
次に、既設枠載置部１３６ａの高さが調整された、連結された下枠接合部材１３６を、枠組みされた改装枠１１の改装下枠１１ｂにビス止めする。具体的には、既設枠載置部１３６ａに改装延出部１４ｅを当接させるとともに、室内側に延出された改装延出部１４ｅを貫通するビス６４を下枠接合部材１３６の固定孔１３６ｉに螺入して下枠接合部材１３６に固定し、ビス固定部１３６ｅを改装下枠１１ｂの中央脚部１４ｇに室内側から貫通するビス６５にて固定しておく（下枠接合部材取付工程Ｓ２）。
【００９２】
次に、改装下枠１１ｂに下枠接合部材１３６及び連結部材１４０が固定され、左右の改装縦枠１１ｃに縦枠接合部材３７がそれぞれ固定された改装枠１１を既設枠５０の内周側に配置する。具体的には、下枠接合部材１３６、連結部材１４０及び縦枠接合部材３７が取り付けられた改装枠１１を室外側から、上枠接合部材３５が取り付けられた既設枠５０の内側へ挿入する。このとき、改装枠１１に取り付けられた下枠接合部材１３６の既設枠載置部１３６ａの下面を既設下枠５２の室内側段部５２ｆ上に載置し（改装枠載置工程Ｓ３）、側壁部１３６ｄの下縁を中央段部５２ｇに当接させると、改装下枠１１ｂに取り付けられた下枠接合部材１３６の既設枠覆い部１３６ｃが既設下枠５２の床材覆い部５２ｅ上に配置される。また、各下枠接合部材１３６に螺合されているビス１５０の先端が補強プレート１４９上に当接される。
【００９３】
そして、既設上網戸レール５１ｃの切除した部位から固定フィン１３ｄの残存部分と室外側壁部３５ｃとを上方から貫通するビス６５を既設外上レール５１ｂに螺合することにより、改装上枠１１ａを固定する。
【００９４】
また、改装下枠１１ｂ側は、床材覆い部５２ｅ上に位置する、下枠接合部材１３６の既設枠覆い部１３６ｃ及び床材４を貫通するビス６３を躯体３に螺合させて固定し（下枠接合部材固定工程Ｓ４）、改装縦枠１１ｃ側は、縦枠対向部３７ａと繋がって室内側に延出された室内側延出部３７ｄと既設縦枠５３を貫通するビス６３にて躯体３に螺合する。その後の取付方法は、第１実施形態と同様である。
【００９５】
第２実施形態の改装サッシユニット１００によれば、第１実施形態の作用・効果に加えて、下枠接合部材１３６は、既設下枠５２上に載置されるとともに、改装枠１１が載置されて固定される既設枠載置部１３６ａが、上下移動機構１３７により上下方向に移動可能なので、改装枠１１が載置される上下方向の位置を変更することが可能である。
【００９６】
また、上下移動機構１３７は、既設枠載置部１３６ａを上下方向に貫通するとともに螺合して、下端が、既設外下レール５２ｂが切除された中央段部５２ｇに支持され、回動されることにより既設枠載置部１３６ａを上下方向に移動させるビス１５０を有している。このため、上下移動機構１３７のビス１５０の回動により、ビス１５０が支持されている既設外下レール５２ｂが切除された中央段部５２ｇに対して、既設枠載置部１３６ａを上下方向に移動させることが可能である。そして、ビス１５０を回動させるだけで、中央段部５２ｇに対して既設枠載置部１３６ａを上下方向に移動させることが可能である。また、ビス１５０は、既設枠載置部１３６ａを上下方向に貫通するとともに螺合しているので、ビス１５０の回動により微少かつ定量的に既設枠載置部１３６ａを上下方向に移動させることが可能である。
【００９７】
また、既設枠載置部１３６ａと改装枠１１との間に介在される複数の下枠接合部材１３６が連結部材１４０にて連結されているので、既設下枠５２に歪みが生じていても改装枠１１が載置される部位を全体として平坦になるように調整することが可能である。
【００９８】
また、第２実施形態の改装サッシユニット１００の取付方法によれば、第１実施形態の作用・効果に加えて、既設下枠５２と改装枠１１との間に、互いに間隔を隔てて複数介在される下枠接合部材１３６は、既設内下レール５２ａ、既設外下レール５２ｂ、既設網戸レール５２ｃが切除された既設下枠５２上、すなわち、取り付けられる部位にて、各々の下枠接合部材１３６の、改装枠１１に固定する部位の位置が調整された後に、改装枠１１に固定されるので、適切な調整がなされた後に、改装枠１１に固定される。このため、既設下枠５２上に下枠接合部材１３６が固定された改装枠１１を取り付けることにより、適正な状態で改装枠１１を取り付けることが可能である。また、下枠接合部材１３６は、改装枠１１が取り付けられていない状態で調整されるので、調整しやすいため、より適切な調整を容易に行うことが可能である。
【００９９】
上記実施形態においては、下枠接合部材３６、１３６を改装下枠１１ｂに固定する際に、下枠接合部材３６、１３６のビス固定部３６ｅ、１３６ｅを改装下枠１１ｂの中央脚部１４ｇに室内側から貫通するビス６５にて固定する例について説明したが、これに限るものではない。例えば、上記実施形態では、ビス固定部３６ｅ、１３６ｅが鉛直方向に沿うように延出されていたが、水平方向に沿うように延出させて、改装下枠１１ｂの中央脚部１４ｇ下端から室内側に延出された部位や、連結部１４ｉにビスにて固定してもよい。
【０１００】
また、上記実施形態においては、下枠接合部材３６、１３６の既設枠覆い部３６ｃ、１３６ｃを床材覆い部５２ｅ上に位置させて、床材覆い部５２ｅ及び床材４を貫通するビス６３にて躯体３に固定する例について説明したが、これに限るものではない。例えば、下枠接合部材３６、１３６の既設枠覆い部３６ｃ、１３６ｃを床材覆い部５２ｅより室内側に突出させ、突出した部位と床材との間に飼い木を介在させてビスにて躯体に固定してもよい。
【０１０１】
上記実施形態においては、半外付けタイプの既設枠５０の内周側に設ける改装サッシユニット１について説明したが、既設枠は、内付けタイプや外付けタイプであっても構わない。
【０１０２】
第１実施形態にて説明した下枠接合部材３６は、見付け方向における全領域に設けられていても良い。
【０１０３】
上記第２実施形態においては、６個の下枠接合部材１３６が、工場等にて連結部材１４０により連結されている例について説明したが、下枠接合部材１３６は６個に限らず、また、複数の下枠接合部材１３６は施工現場にて連結部材１４０により連結しても良い。
【０１０４】
また、上記第２実施形態においては、上下移動機構１３７をなすビス１５０及びナット１５５が延出部１３６ｇに螺合されている例について説明したが、ビス１５０及びナット１５５を操作可能に配置するスペースを有していればビス１５０及びナット１５５は既設枠載置部に１３６ａに螺合されていても良い。
【０１０５】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【０１０６】
１  改装サッシユニット、２  開口、３  躯体、
３ａ  窓まぐさ、３ｂ  窓台、３ｃ  柱、
１０  改装サッシ、１１  改装枠、
１１ａ  改装上枠、１１ｂ  改装下枠、１１ｃ  改装縦枠、
１４  改装下枠本体、３６  下枠接合部材、
３６ａ  既設枠載置部、３６ｃ  既設枠覆い部、
３６ｄ  側壁部、３６ｅ  ビス固定部、
５０  既設枠、５２  既設下枠、
５２ａ  既設内下レール、５２ｂ  既設外下レール、
５２ｃ  既設網戸下レール、５２ｅ  床材覆い部、
７２  断熱材
１００  改装サッシユニット、１３６  下枠接合部材、
１３６ａ  既設枠載置部、１３６ｇ  延出部、１３６ｈ  タップ孔、
１３６ｉ  固定孔、１３６ｊ  タップ孔、１３７  上下移動機構、１４０  連結部材、
１４１  本体部、１４９  補強プレート、１５０  ビス、１５５  ナット
【図１】
0005661590.tif 000002
【図２】
0005661590.tif 000003
【図３】
0005661590.tif 000004
【図４】
0005661590.tif 000005
【図５】
0005661590.tif 000006
【図６】
0005661590.tif 000007
【図７】
0005661590.tif 000008
【図８】
0005661590.tif 000009
【図９】
0005661590.tif 000010
【図１０】
0005661590.tif 000011